(57)【要約】【課題】アイロンがけ時に良好にしわを除去することができ、アイロンがけ後の戻りじわの発生を防止し、またアイロンの滑りを良好にすることができ、さらには衣類の繊維表面の毛羽立ちも防止することができるアイロン助剤の提供。【解決手段】式（Ｉ）又は（ＩＩ）で表される化合物からなるアイロン助剤、このアイロン助剤の少なくとも１種と、水を含有するアイロン助剤組成物、このアイロン助剤を用いる、繊維表面の毛羽立ち防止方法。【化１】2005029899.tif 000006（式中、Ｒ１はＨ又は炭素数１〜３のアルキル基、Ｒ２，Ｒ３，Ｒ５及びＲ６はＨ又はメチル基、Ｒ４は炭素数１〜４のアルキル基、ｍ及びｎは０〜２の整数を示す。）ＨＯＣＨ２−（ＣＨ２）ｐ−ＣＨ２ＯＨ      （ＩＩ）（式中、ｐは３〜５の整数を示す。）【選択図】  なし【特許請求の範囲】
【請求項１】
式（Ｉ）又は（ＩＩ）で表される化合物からなるアイロン助剤。
【化１】
2005029899.tif 000005
（式中、Ｒ１は水素原子又は炭素数１〜３のアルキル基、Ｒ２，Ｒ３，Ｒ５及びＲ６はそれぞれ独立に、水素原子又はメチル基、Ｒ４は炭素数１〜４のアルキル基、ｍ及びｎはそれぞれ独立に、０〜２の整数を示す。）
ＨＯＣＨ２−（ＣＨ２）ｐ−ＣＨ２ＯＨ      （ＩＩ）
（式中、ｐは３〜５の整数を示す。）
【請求項２】
請求項１記載のアイロン助剤の少なくとも１種と、水を含有するアイロン助剤組成物。
【請求項３】
スチームアイロンのスチーム源として用いる、請求項２記載のアイロン助剤組成物。
【請求項４】
請求項１記載のアイロン助剤を用いる、繊維表面の毛羽立ち防止方法。
【発明の詳細な説明】
【０００１】
【発明の属する技術分野】
本発明はアイロン使用時に用いられるアイロン助剤、及びそれを含有し、スチームアイロンのスチーム源や、アイロンがけ時の噴霧水等として用いられるアイロン助剤組成物、更にそのアイロン助剤を用いる繊維表面の毛羽立ち防止方法に関する。
【０００２】
【従来の技術】
アイロンがけを必要とせずに、衣料からしわを除去する技術は多数開示されており、例えば特許文献１には、アイロンを必要とせず、スプレー処理するだけでしわ取り効果を示すしわ取り用水性組成物が開示されている。また特許文献２には、アイロンがけを必要とせずにスプレーするか、あるいはアイロンがけ時にスプレーすることによりしわを減少させるしわ減少組成物が開示されている。
【０００３】
しかしながら、ワイシャツやポロシャツ等の衣料は洗濯／すすぎ／脱水／乾燥を通じて洗濯じわが形成され、特に木綿等のセルロース系繊維を主成分とする衣料はアイロンがけを省いては着用できない程度にしわが形成される。また、近年形態安定化加工が施されたワイシャツ等が普及しているが、これらも着用／洗濯を繰り返すうちに効果が低下し、アイロンがけを全く省くまでには至っていない。また、アイロンがけを行った場合においても、アイロンがけ直後はきれいにしわのない状態に処理することができるが、その後数時間置くとしわが再び形成される、いわゆる戻りじわが発生するという問題がある。このような戻りじわは、木綿等のセルロース系繊維を主成分とする衣料をスチームアイロンで処理した場合に顕著に見られる。
【０００４】
また、衣類の着用／洗濯を繰り返すうちに、衣類の繊維表面に毛羽立ちが生じ、見栄えが悪くなるという問題もある。
【０００５】
【特許文献１】
特開平１０−２５６６０号公報
【特許文献２】
特表２００２−５１３０９５号公報
【０００６】
【発明が解決しようとする課題】
本発明の課題は、アイロンがけ時に良好にしわを除去することができ、アイロンがけ後の戻りじわの発生を防止し、またアイロンの滑りを良好にすることができ、さらには衣類の繊維表面の毛羽立ちも防止することができるアイロン助剤を提供することにある。
【０００７】
【課題を解決するための手段】
本発明は、式（Ｉ）又は（ＩＩ）で表される化合物からなるアイロン助剤、このアイロン助剤の少なくとも１種と、水を含有するアイロン助剤組成物を提供する。また本発明は、このアイロン助剤を用いる、繊維表面の毛羽立ち防止方法を提供する。
【０００８】
【化２】
2005029899.tif 000002
【０００９】
（式中、Ｒ１は水素原子又は炭素数１〜３のアルキル基、Ｒ２，Ｒ３，Ｒ５及びＲ６はそれぞれ独立に、水素原子又はメチル基、Ｒ４は炭素数１〜４のアルキル基、ｍ及びｎはそれぞれ独立に、０〜２の整数を示す。）
ＨＯＣＨ２−（ＣＨ２）ｐ−ＣＨ２ＯＨ      （ＩＩ）
（式中、ｐは３〜５の整数を示す。）
【００１０】
【発明の実施の形態】
［アイロン助剤］
本発明のアイロン助剤は、式（Ｉ）又は（ＩＩ）で表される化合物からなる。式（Ｉ）において、Ｒ１は水素原子又は炭素数１〜３のアルキル基を示し、水素原子又はプロピル基が好ましい。Ｒ２，Ｒ３，Ｒ５及びＲ６は水素原子又はメチル基を示すが、水素原子が好ましい。Ｒ４は炭素数１〜４のアルキル基を示すが、メチル基、エチル基が好ましい。ｍ及びｎはそれぞれ、０〜２の整数を示すが、０又は１が好ましい。式（ＩＩ）において、ｐは３〜５の整数を示すが、３又は４が好ましい。これらの中では、特に式（Ｉ）で表される化合物が好ましい。
【００１１】
式（Ｉ）で表される化合物の具体例としては、２−エチル−１，３−ヘキサンジオール、ネオペンチルグリコール（２，２−ジメチル−１，３−プロパンジオール）、３−メチル−１，５−ペンタンジオール、２−メチル−１，３−ヘキサンジオール、２−プロピル−１，３−ヘキサンジオール、２−メチル−２−エチル−１，３−プロパンジオール、２−メチル−２−プロピル−１，３−プロパンジオール、３−エチル−１，５−ペンタンジオール、３−プロピル−１，５−ペンタンジオール、２−メチル−２−ブチル−１，３−プロパンジオール等が挙げられ、２−エチル−１，３−ヘキサンジオール、ネオペンチルグリコール、３−メチル−１，５−ペンタンジオールが好ましく、２−エチル−１，３−ヘキサンジオールが更に好ましい。
【００１２】
式（ＩＩ）で表される化合物の具体例としては、１，５−ペンタンジオール、１，６−ヘキサンジオール、１，７−ヘプタンジオールが挙げられ、１，５−ペンタンジオール、１，６−ヘキサンジオールが好ましい。
【００１３】
［アイロン助剤組成物］
本発明のアイロン助剤組成物は、上記式（Ｉ）又は（ＩＩ）で表される化合物から選ばれる少なくとも１種のアイロン助剤（以下本発明のアイロン助剤という）と、水を含有する。
【００１４】
本発明のアイロン助剤組成物は、スチームアイロンのスチーム源や、アイロンがけ時の噴霧水等として用いられ、スチームアイロンのスチーム源として用いるのが好ましい。
【００１５】
本発明の組成物をスチームアイロンのスチーム源や、アイロンがけ時の噴霧水として用いる場合、本発明の組成物中の、本発明のアイロン助剤の含有量は、０．１〜３０質量％が好ましく、０．２〜１０質量％が更に好ましく、０．５〜５質量％が特に好ましい。
【００１６】
本発明の組成物は、本発明のアイロン助剤を水に溶解した水溶液の形態であり、用いる水は微量に存在するカルシウムなどの金属塩を除いたイオン交換水あるいは蒸留水が好ましい。本発明の組成物中の水の含有量は、９０〜９９．９質量％が好ましく、特に９５〜９９．５質量％が好ましい。
【００１７】
また、本発明の組成物の２０℃におけるｐＨは２〜８が好ましく、４〜７が更に好ましい。このようなｐＨ範囲に調整するには、通常の硫酸、塩酸、リン酸、クエン酸、コハク酸等の酸と、水酸化ナトリウム、水酸化カリウム、炭酸ナトリウム、炭酸カリウム等のアルカリ剤を用いることができる。
【００１８】
本発明の組成物は、貯蔵安定性等の観点から、本発明のアイロン助剤及び水以外に、水溶性溶剤を用いることができる。用いられる水溶性溶剤としては、エタノール、プロパノール、イソプロパノール、エチレングリコール、プロピレングリコール、グリセリン等が挙げられ、特にエタノール及び／又はプロピレングリコールが好ましい。本発明の組成物中の水溶性溶剤の含有量は、３０質量％以下が好ましく、０．１〜１０質量％が更に好ましく、０．１〜５質量％が特に好ましい。
【００１９】
更に本発明の組成物は、嗜好性の点から水溶性香料を含有することが好ましく、例えばＧＢ２３３３３０２号明細書やＷＯ０２／１０５０３号パンフレットに記載の水溶性香料を用いることができる。本発明の組成物中の水溶性香料の含有量は、０．００１〜５質量％が好ましく、０．０５〜３質量％が更に好ましく、０．０５〜２質量％が特に好ましい。
【００２０】
通常アイロンがけ時に用いられる噴霧水にはアイロン滑り性の改善や安定性、あるいは繊維に張りを付与する等の目的で、界面活性剤やシリコーン化合物を添加するが、本発明の組成物をスチームアイロンのスチーム源として用いる際には、界面活性剤を含有することは効果を低下させたり、繊維製品の感触を変化させたり、さらにはアイロンや繊維製品に焦げを発生させるなどの問題が生じるため、本発明の組成物中の界面活性剤の含有量は、１質量％以下が好ましく、０．５質量％以下が更に好ましく、含有しないことが特に好ましい。また、スチーム噴射口を詰まらせないために、本発明の組成物中のシリコーン化合物の含有量も、１質量％以下が好ましく、０．１質量％以下が更に好ましく、含有しないことが特に好ましい。
【００２１】
本発明の組成物をアイロンがけ時の噴霧水として用いる場合には、本発明のアイロン助剤を分散、可溶化又は乳化させる目的から、界面活性剤を併用することができるが、界面活性剤を多量に用いると噴霧した組成物の大部分は繊維製品に残るため、繊維製品の感触を変化させたり、アイロンすべりが悪くなる等の問題が生じるため、本発明の組成物中の界面活性剤の含有量は、０．０１〜５質量％が好ましく、０．０１〜３質量％が更に好ましく、０．０１〜１質量％が特に好ましい。
【００２２】
ここで用いられる界面活性剤としては、炭素数８〜１５のアルキル基を有するアルキルベンゼンスルホン酸塩、炭素数８〜１６のアルキル硫酸エステル塩、平均付加モル数が１〜４、炭素数８〜１６のアルキル基を有するポリオキシエチレンアルキルエーテル硫酸エステル塩、炭素数１２〜２２のアルキル基を有するアルキルエーテルカルボン酸塩、炭素数１２〜２２のアルキル基を有するアルキルエーテルリン酸塩から選ばれる陰イオン界面活性剤、平均付加モル数が４〜２０、アルキル基の炭素数が８〜１４のポリオキシエチレン（及び／又はポリオキシプロピレン）アルキルエーテル型非イオン界面活性剤、アルキル基の炭素数が８〜１６、平均縮合度が１〜５のアルキルポリグルコシド、炭素数１０〜１６の脂肪酸ソルビタンエステルから選ばれる非イオン界面活性剤、エステル基又はアミド基で分断されていてもよい炭素数が１２〜２２のアルキル基を１つまたは２つ有する４級アンモニウム型陽イオン界面活性剤、炭素数１０〜１８のアルキル基を有するスルホベタイン型又はカルボベタイン型両性界面活性剤を挙げることができる。
【００２３】
本発明では特に非イオン界面活性剤が好ましく、特に平均付加モル数が６〜１５、アルキル基の炭素数が１０〜１４のポリオキシエチレン（及び／又はポリオキシプロピレン）アルキルエーテル型非イオン界面活性剤、アルキル基の炭素数が８〜１４、平均縮合度が１〜２のアルキルポリグルコシドが好ましい。
【００２４】
また、本発明の組成物をアイロンがけ時の噴霧水として用いる場合には、しわ除去効果を向上させる目的、及びアイロンすべりを改善する目的からシリコーン化合物を用いることができる。本発明の組成物中のシリコーン化合物の含有量は０．０１〜１０質量％が好ましく、０．０３〜１質量％が更に好ましい。ここで用いられるシリコーン化合物としては、ジメチルポリシロキサン、メチルフェニルポリシロキサン、メチルハイドロジェンポリシロキサン、アミノ変性ポリシロキサン、アミド変性ポリシロキサン、カルボキシ変性ポリシロキサン、ポリエーテル変性ポリシロキサン等が挙げられ、特にジメチルポリシロキサン、アミノ変性ポリシロキサン、カルボキシ変性ポリシロキサンから選ばれる１種以上が好適である。また、本発明に用いられるシリコーン化合物の平均分子量は２００〜１，０００，０００が好ましく、４００〜１００，０００が更に好ましい。なお、シリコーン化合物の分子量は、ポリスチレンを標準とし、クロロホルムを展開溶媒とした時のゲル浸透型液体クロマトグラフィーによって求められる重量平均分子量である。また、本発明では揮発性のシリコーン化合物は本発明の効果を妨げるおそれがあるため含有しないことが好ましい。
【００２５】
［毛羽立ち防止方法］
本発明のアイロン助剤は、スチームアイロンのスチーム源や、アイロンがけ時の噴霧水に添加して、アイロンがけを行うことにより、繊維表面の毛羽立ちを防止することができる。
【００２６】
この時の本発明のアイロン助剤の添加量は、上記本発明のアイロン助剤組成物をスチームアイロンのスチーム源や、アイロンがけ時の噴霧水として用いる際の添加量と同様である。
【００２７】
具体的な毛羽立ち防止方法としては、本発明のアイロン助剤をスチームアイロンのスチーム源に添加する場合には、スチームアイロンの水タンクに、本発明のアイロン助剤、水及びその他の成分を入れてスチーム源とし、このスチーム源の蒸気を繊維製品に接触させながら加圧・加熱処理を行う。アイロンの温度は、１００〜２２０℃が好ましく、１２０〜２１０℃が更に好ましい。また、アイロンの処理時間は繊維製品１００ｃｍ２当り好ましくは１〜９０秒、特に５〜６０秒が好適である。
【００２８】
また、本発明のアイロン助剤をアイロンがけ時の噴霧水に添加して、毛羽立ちを防止する場合には、本発明のアイロン助剤、水及びその他の成分を、噴霧装置を具備する容器に充填する。噴霧装置としてはトリガー式が好ましく、特に実開平４−３７５５４号公報の第１図に示されているような液垂れや噴霧の均一性に優れる蓄圧式トリガーを用いることが良好である。
【００２９】
本発明の好ましいトリガー式噴霧装置は、１回のストロークで０．２ｇ〜１．５ｇ、好ましくは０．２５〜１．２ｇ、特に好ましくは０．３〜１．０ｇ噴出するものが良好である。また、本発明のアイロン助剤を繊維製品１００ｃｍ２当たり好ましくは０．０１〜４ｇ、より好ましくは０．０５〜３ｇ、特に好ましくは０．１〜２ｇになるように均一に繊維製品にスプレーし、アイロンがけを行うことが好適である。
【００３０】
上記のような方法により、戻りじわの発生を抑制すると同時に、繊維表面の毛羽立ちを防止することができ、好ましい仕上がりの繊維製品を得ることができる。
【００３１】
【実施例】
実施例１
木綿ブロード布（谷頭商店製）を二槽式洗濯機（東芝製  型式：ＶＨ−３６０Ｓ１）を用いて市販洗剤で５回洗濯し（洗濯条件：花王（株）製アタック、洗剤濃度０．０６６７質量％、水道水使用、水温２０℃、１０分洗濯後、１５分間流水すすぎし、５分間脱水）、自然乾燥させた。この布を１５ｃｍ×２５ｃｍに裁断し、試験布の中からＡＡＴＣＣしわレプリカ（ＡＡＴＣＣＴｅｓｔ  Ｍｅｔｈｏｄ  Ｎｏ．１２４，Ｔｈｒｅｅ−ｄｉｍｅｎｓｉｏｎａｌ  Ｓｍｏｏｔｈｎｅｓｓ  Ａｐｐｅａｒａｎｃｅ  Ｒｅｐｌｉｃａｓ）１級相当のものだけを選び、６枚を１組として試験布とした。１つの組成につき、１組６枚を試験に用いた。
【００３２】
表１に示す組成のアイロン助剤組成物をスチームアイロンの水タンクに入れ、上記試験布を用いたスチームアイロン試験に供した。アイロンは東芝製コードレススチームアイロン（型式：ＴＡ−Ｄ２４）をスチーム高温で使用した。試験布１枚あたりのアイロン時間は１５秒間で、スチームが試験布に均一にあたるように動かし、強く押さえつけないで自重でしわを伸ばす程度とした。スチームの吐出量は、１分間に５．０ｇであった。
【００３３】
スチームアイロン試験後、温度２５℃、湿度４０％ＲＨの室内で３時間放置後の試験布のしわの状態を、ＡＡＴＣＣしわレプリカを用い、目視にて級数判定を行うことにより評価し、試験布６枚のしわ級数の平均値を各組成物のしわ級数とした。また、戻りじわの発生防止効果を、以下の式より求めた。これらの結果を表１に示した。尚、しわ級数が大きいほどしわが少ないことを示し、（Ｔ１−Ｔ２）値が小さいほど戻りじわ防止効果に優れていることを示す。
【００３４】
戻りじわ発生防止効果＝Ｔ１−Ｔ２
（式中、Ｔ１はスチームアイロン試験直後の試験布のしわ級数（試験布６枚のしわ級数の平均値）を示し、Ｔ２はスチームアイロン試験後、温度２５℃、湿度４０％ＲＨの室内で３時間放置後の試験布のしわ級数（試験布６枚のしわ級数の平均値）を示す。
【００３５】
【表１】
2005029899.tif 000003
【００３６】
＊：ｐＨ調整は、０．１規定塩酸水溶液及び０．１規定水酸化カリウム水溶液を用いて行った。
【００３７】
実施例２
実施例１と同様に調製した木綿ブロード試験布を用い、表２に示す組成のアイロン助剤組成物をスチームアイロンの水タンクに入れ、実施例１と同様にスチームアイロン試験を行った。スチームアイロン試験後の試験布について、以下に示す方法で静摩擦係数を測定し、試験布６枚の静摩擦係数の平均値を各組成物の静摩擦係数とした。結果を表２に示す。
【００３８】
＜静摩擦係数の測定法＞
ＨＥＩＤＯＮ製ＨＥＩＤＯＮ−１０静摩擦係数測定機を用い、温度２５℃、相対湿度４０％ＲＨの条件で、上昇速度８ｍｍ／ｓｅｃ．で測定した。東芝製コードレススチームアイロン（型式：ＴＡ−Ｄ２４）のアイロンベ−ス部分（アイロン面部分を分解して取りだしたもの）を試験布の上に乗せ、アイロンが滑り始める点で傾きを止めて、測定した。
【００３９】
尚、木綿ブロード布を東芝製コードレススチームアイロン（型式：ＴＡ−Ｄ２４）をドライアイロン（高温）で使用し、１枚あたりのアイロン時間は１５秒間で、強く押さえつけないで自重でしわを伸ばす程度とした場合、静摩擦係数は０．２２であった。
【００４０】
【表２】
2005029899.tif 000004
【００４１】
＊：ｐＨ調整は、０．１規定塩酸水溶液及び０．１規定水酸化カリウム水溶液を用いて行った。
【００４２】
実施例３
実施例１と同様に調製した木綿ブロード試験布を用い、実施例１の表１  Ｎｏ．１−３（本発明品）のアイロン助剤組成物をスチームアイロンの水タンクに入れ、実施例１と同様にスチームアイロン試験を行った。スチームアイロン試験後の試験布について、布表面を電子顕微鏡で観察した結果を図１に示す。また、比較のために、本発明のアイロン助剤組成物の代わりに水道水、又は実施例１の表１  Ｎｏ．１−１１（比較品）のアイロン助剤組成物を水タンクに入れた以外は同様にスチームアイロン試験を行った。このスチームアイロン試験後の布表面の電子顕微鏡写真を図２（水道水）及び図３（Ｎｏ．１−１１（比較品）のアイロン助剤組成物）に示す。更に、スチームアイロン試験を行う前の木綿ブロード試験布の電子顕微鏡写真を図４に示す。
【００４３】
これらの結果から、本発明の組成物で処理した布の表面は、処理前の布や、水道水、あるいは比較のアイロン助剤組成物で処理した布の表面に比べて、明かに細かな毛羽が見られなくなり、毛羽立ちが防止できたことがわかる。
【００４４】
【発明の効果】
本発明のアイロン助剤及びアイロン助剤組成物は、アイロンがけ時に良好にしわを除去することができ、アイロンがけ後の戻りじわの発生を防止し、またアイロンの滑りを良好にすることができ、さらには衣類の繊維表面の毛羽立ちも防止することができる。
【図面の簡単な説明】
【図１】実施例３の試験結果を示す、本発明の組成物で処理した布表面の電子顕微鏡写真である。
【図２】実施例３の試験結果を示す、水道水で処理した布表面の電子顕微鏡写真である。
【図３】実施例３の試験結果を示す、Ｎｏ．１−１１（比較品）のアイロン助剤組成物で処理した布表面の電子顕微鏡写真である。
【図４】実施例３の試験結果を示す、処理前の布表面の電子顕微鏡写真である。
【図１】
2005029899.tif 000007
【図２】
2005029899.tif 000008
【図３】
2005029899.tif 000009
【図４】
2005029899.tif 000010